(57)【要約】【課題】スライドスイッチを用いることなく制御信号を送信するチャンネルを切り替えることが可能な照明用リモコン送信機およびチャンネル切り替え方法を提供する。【解決手段】ダイオードブリッジ４は、端子２と端子３に接続された電池１からの電流を、所定の向きに流れる電流にして出力する。制御部５は、ダイオードブリッジ４が出力した電流を電源電流として使用する。制御部５は、電池１によって端子２に印加された電圧に基づいて、制御信号を送信するチャンネルを決定する。【選択図】図１
2008042450.tif 000002
【特許請求の範囲】
【請求項１】
電池を電源として使用するとともに、照明装置を制御するための制御信号を２つのチャンネルのいずれかを用いて送信する照明用リモコン送信機であって、
前記電池の一方の電極と接続される第１端子と、
前記電池の他方の電極と接続される第２端子と、
前記第１端子および前記第２端子と接続され、前記第１端子と前記第２端子に接続された前記電池からの電流を、所定の向きに流れる電流にして出力する電流制御部と、
前記電流制御部が出力した電流を電源電流として使用するとともに、前記電池によって前記第１端子に印加された電圧に基づいて、前記制御信号を送信するチャンネルを決定する制御部と、を含む照明用リモコン送信機。
【請求項２】
請求項１に記載の照明用リモコン送信機において、
前記電池によって前記第１端子に印加された電圧と、前記電池によって前記第２端子に印加された電圧と、の間の電圧値を有する比較用電圧を生成する電圧生成部を含み、
前記制御部は、
前記第１端子に印加された電圧と、前記電圧生成部にて生成された比較用電圧と、を比較し、前記比較の結果を出力する比較部と、
前記電流制御部が出力した電流を電源電流として使用するとともに、前記比較部から出力された前記比較の結果に基づいて、前記制御信号を送信するチャンネルを決定するリモコン制御部と、を含む、照明用リモコン送信機。
【請求項３】
請求項２に記載の照明用リモコン送信機において、
前記電流制御部は、ダイオードブリッジであり、
前記ダイオードブリッジは、前記電圧生成部を兼ねる、照明用リモコン送信機。
【請求項４】
電池の一方の電極と接続される第１端子と、前記電池の他方の電極と接続される第２端子と、前記第１端子および前記第２端子と接続され、前記第１端子と前記第２端子に接続された前記電池からの電流を、所定の向きに流れる電流にして出力する電流制御部と、前記電流制御部が出力した電流を電源電流として使用するとともに、照明装置を制御するための制御信号を２つのチャンネルのいずれかを用いて送信する制御部と、を含む照明用リモコン送信機が行うチャンネル切り替え方法であって、
前記制御部が、前記電池によって前記第１端子に印加された電圧に基づいて、前記制御信号を送信するチャンネルを決定する決定ステップを含むチャンネル切り替え方法。
【請求項５】
請求項４に記載のチャンネル切り替え方法において、
前記電池によって前記第１端子に印加された電圧と、前記電池によって前記第２端子に印加された電圧と、の間の電圧値を有する比較用電圧を生成する電圧生成ステップをさらに含み、
前記決定ステップは、
前記第１端子に印加された電圧と、前記比較用電圧と、を比較し、前記比較の結果を出力する比較ステップと、
前記比較の結果に基づいて、前記制御信号を送信するチャンネルを決定するチャンネル決定ステップと、を含む、チャンネル切り替え方法。
【発明の詳細な説明】
【技術分野】
【０００１】
本発明は、照明用リモコン送信機およびチャンネル切り替え方法に関し、特には、照明装置を制御するための制御信号を送信するチャンネルを切り替えることが可能な照明用リモコン送信機およびチャンネル切り替え方法に関する。
【背景技術】
【０００２】
従来、リモコン送信機と照明器具とを組み合わせた照明システムが知られている（特許文献１参照）。
【０００３】
また、２台の照明器具のそれぞれがリモコン送信機によって制御される場合、それぞれの照明器具は、別々のリモコン送信機にて制御される必要がある。このため、照明器具本体とリモコン送信機には、照明装置を制御するための制御信号を送受信するチャンネルを切り替える機能（以下「チャンネル切り替え機能」と称する。）がついている。
【０００４】
図３は、チャンネル切り替え機能を有するリモコン送信機の一例を示したブロック図である。
【０００５】
図３において、リモコン送信機１００は、チャンネル切り替えスイッチ１０１と、リモコン制御部１０２と、電池１０３とを含む。
【０００６】
リモコン制御部１０２は、電池１０３を電源として使用し、また、制御信号を送信するためのチャンネルを、チャンネル切り替えスイッチ１０１の状態に応じて切り替える。
【０００７】
例えば、リモコン制御部１０２は、チャンネル切り替えスイッチ１０１が端子ａと接続している際には、第１チャンネルで制御信号を送信し、チャンネル切り替えスイッチ１０２が端子ｂと接続している際には、第２チャンネルで制御信号を送信する。
【０００８】
よって、２組の照明システムに別々のチャンネルが設定されれば、それぞれの照明器具を別々に制御することが可能となっている。
【０００９】
なお、通常、チャンネル切り替えスイッチ１０１として、スライドスイッチが使用されている。
【特許文献１】特開平１０−１３４９６５号公報
【発明の開示】
【発明が解決しようとする課題】
【００１０】
リモコン送信機に設けられたスライドスイッチには埃が付着しやすく、この埃は、スライドスイッチのスムーズな操作を妨げる。
【００１１】
また、スライドスイッチがリモコン送信機に配置されることによる他の弊害として、リモコン送信機の配線基板に実装される部品の中でスライドスイッチは異質であることが挙げられる。例えば、ユーザーは、抵抗体を用いたプッシュ式スイッチの操作時と比較して、スライドスイッチの操作時には、意識して指に力を入れる必要がある。このため、スライドスイッチのハンダ付け部には過大な応力が加わり、長期の使用においてハンダクラック等の不具合が発生する可能性がある。
【００１２】
また、スライドスイッチを基板に固定する際の位置精度が要求され、設計上狙った場所からずれてスライドスイッチが実装された場合、スライドスイッチはリモコン送信機のケースと干渉し、スライド操作が充分に行えない可能性もある。
【００１３】
本発明の目的は、スライドスイッチを用いることなく制御信号を送信するチャンネルを切り替えることが可能な照明用リモコン送信機およびチャンネル切り替え方法を提供することである。
【課題を解決するための手段】
【００１４】
上記目的を達成するために、本発明の照明用リモコン送信機は、電池を電源として使用するとともに、照明装置を制御するための制御信号を２つのチャンネルのいずれかを用いて送信する照明用リモコン送信機であって、前記電池の一方の電極と接続される第１端子と、前記電池の他方の電極と接続される第２端子と、前記第１端子および前記第２端子と接続され、前記第１端子と前記第２端子に接続された前記電池からの電流を、所定の向きに流れる電流にして出力する電流制御部と、前記電流制御部が出力した電流を電源電流として使用するとともに、前記電池によって前記第１端子に印加された電圧に基づいて、前記制御信号を送信するチャンネルを決定する制御部と、を含む。
【００１５】
また、本発明のチャンネル切り替え方法は、電池の一方の電極と接続される第１端子と、前記電池の他方の電極と接続される第２端子と、前記第１端子および前記第２端子と接続され、前記第１端子と前記第２端子に接続された前記電池からの電流を、所定の向きに流れる電流にして出力する電流制御部と、前記電流制御部が出力した電流を電源電流として使用するとともに、照明装置を制御するための制御信号を２つのチャンネルのいずれかを用いて送信する制御部と、を含む照明用リモコン送信機が行うチャンネル切り替え方法であって、前記制御部が、前記電池によって前記第１端子に印加された電圧に基づいて、前記制御信号を送信するチャンネルを決定する決定ステップを含む。
【００１６】
上記発明によれば、制御部は、電池によって第１端子に印加された電圧に基づいて、制御信号を送信するチャンネルを決定する。このため、制御部は、電池のプラス電極が第１端子に接続された場合と、電池のマイナス電極が第１端子に接続された場合とで、チャンネルを切り替えることが可能となる。よって、ユーザーは、第１端子と接続する電池の電極を切り替えることによって、スライドスイッチを用いることなく、チャンネルを切り替えることが可能となる。
【００１７】
なお、電流制御部は、第１端子と第２端子に接続された電池からの電流を、所定の向きに流れる電流にして出力し、制御部は、電流制御部が出力した電流を電源電流として使用する。このため、第１端子と接続する電池の電極が、プラス電極であっても、マイナス電極であっても、制御部に流れる電源電流の向きは一定となり、制御部は正常に動作できる。
【００１８】
また、前記照明用リモコン送信機は、前記電池によって前記第１端子に印加された電圧と、前記電池によって前記第２端子に印加された電圧と、の間の電圧値を有する比較用電圧を生成する電圧生成部を含み、前記制御部は、前記第１端子に印加された電圧と、前記比較用電圧と、を比較し、前記比較の結果を出力する比較部と、前記電流制御部が出力した電流を電源電流として使用するとともに、前記比較部から出力された前記比較の結果に基づいて、前記制御信号を送信するチャンネルを決定するリモコン制御部と、を含むことが望ましい。
【００１９】
上記発明によれば、比較部による比較結果は、電池のプラス電極が第１端子に接続された場合と、電池のマイナス電極が第１端子に接続された場合とで、異なる。このため、第１端子に接続された電池の電極を正確に検出できる。よって、第１端子と接続する電池の電極を切り替えることによって、スライドスイッチを用いることなく、チャンネルを精度よく切り替えることが可能となる。
【００２０】
また、前記電流制御部は、ダイオードブリッジであり、前記ダイオードブリッジは、前記電圧生成部を兼ねることが望ましい。
【００２１】
上記発明によれば、ダイオードブリッジが、電流制御部および電圧生成部として使用されるため、構成の簡略化が図れる。
【発明の効果】
【００２２】
本発明によれば、スライドスイッチを用いることなく、制御信号を送信するチャンネルを切り替えることが可能になる。
【発明を実施するための最良の形態】
【００２３】
以下、本発明の実施例を図面を参照して説明する。
【００２４】
図１は、本発明の一実施例の照明用リモコン送信機を示したブロック図である。
【００２５】
図１において、照明用リモコン送信機は、電池１を電源として使用し、照明装置１０を制御するための制御信号を２つのチャンネルのいずれかを用いて送信する。なお、電池１は、照明用リモコン送信機に着脱自在に取り付けられる。具体的には、電池１は、実線で示されたように、（１）に示した向きに取り付けられるか、あるいは、破線で示されたように、（２）に示した向きに取り付けられる。
【００２６】
照明用リモコン送信機は、端子２と、端子３と、ダイオードブリッジ４と、制御部５と、を含む。制御部５は、チャンネル切り替え制御部５ａと、操作部５ｂと、リモコン制御部５ｃと、を含む。
【００２７】
端子２は、第１端子の一例であり、電池１の一方の電極と接続され、また、端子３は、第２端子の一例であり、電池１の他方の電極と接続される。例えば、図１の（１）に示したように、端子２は電池１のマイナス電極と接続され、端子３は電池１のプラス電極と接続される。または、図１の（２）に示したように、端子２は、電池１のプラス電極と接続され、端子３は、電池１のマイナス電極と接続される。
【００２８】
ダイオードブリッジ４は、電流制御部の一例であり、ダイオードＤ１ないしダイオードＤ４を有する。
【００２９】
ダイオードＤ１とダイオードＤ３とは、互いの順方向がそろうように直列に接続され、また、ダイオードＤ２とダイオードＤ４とは、互いの順方向がそろうように直列に接続される。
【００３０】
ダイオードＤ１とダイオードＤ３の直列回路と、ダイオードＤ２とダイオードＤ４の直列回路とが、互いの順方向がそろうように並列に接続される。
【００３１】
ダイオードＤ１とダイオードＤ３の間の端子４ａは、端子３と接続され、ダイオードＤ２とダイオードＤ４の間の端子４ｂは、端子２と接続され、ダイオードＤ１とダイオードＤ２との間の端子４ｃは、制御部５、具体的には、リモコン制御部５ｃと接続し、ダイオードＤ３とダイオードＤ４との間の端子４ｄは、制御部５、具体的には、リモコン制御部５ｃと接続する。
【００３２】
ダイオードブリッジ４は、端子２と端子３に接続された電池１からの電流を、端子４ｃから制御部５に流し、制御部５からの電流を端子４ｄで受け付ける。
【００３３】
制御部５は、端子４ｃから出力された電流を電源電流として使用する。制御部５は、照明装置１０を制御するための制御信号を、その制御信号を送信するための２つのチャンネル（第１チャンネルと第２チャンネル）のいずれかを用いて送信する。なお、第１チャンネルと第２チャンネルは異なる。
【００３４】
また、制御部５は、電池１によって端子２に印加された電圧に基づいて、制御信号を送信するチャンネルを決定する。
【００３５】
チャンネル切り替え制御部５ａは、端子２の電圧と端子４ｄの電圧とを比較する。
【００３６】
なお、端子２の電圧は、端子２が、電池１のプラス電極と接続されているときと、電池１のマイナス電極と接続されているときとで異なる。
【００３７】
また、端子４ｄの電圧は、電池１によって端子２に印加された電圧と、電池１によって端子３に印加された電圧と、の間の電圧値を有する電圧（以下「比較用電圧」と称する。）となる。
【００３８】
具体的には、端子２が電池１のマイナス電極と接続されているときには（（１）の場合）、端子４ｄの電圧は、電池１のマイナス電極の電圧に、ダイオードＤ４にかかる電圧を加えた電圧となる。また、端子２が電池１のプラス電極と接続されているときには（（２）の場合）、端子４ｄの電圧は、電池１のマイナス電極の電圧に、ダイオードＤ３にかかる電圧を加えた電圧となる。よって、ダイオードブリッジ４は、電池１によって端子２に印加された電圧と、電池１によって端子３に印加された電圧と、の間の電圧値を有する比較用電圧を生成する電圧生成部として機能する。
【００３９】
チャンネル切り替え制御部５ａは、比較部の一例であり、端子２の電圧と端子４ｄの電圧とを比較し、その比較の結果を、リモコン制御部５ｃに提供する。
【００４０】
図２は、チャンネル切り替え制御部５ａの一例を示した回路図である。
【００４１】
図２において、チャンネル切り替え制御部５ａとして、コンパレータ５ａ１が用いられる。コンパレータ５ａ１は、端子２の電圧と、端子４ｄの電圧と、を比較し、その比較結果を、リモコン制御部５ｃに提供する。
【００４２】
例えば、コンパレータ５ａ１は、端子２の電圧が端子４ｄの電圧より低い場合、すなわち、電池１のプラス電極が端子３と接続され、電池１のマイナス電極が端子２と接続されている場合、“１”を出力し、一方、端子２の電圧が端子４ｄの電圧より高い場合、すなわち、電池１のプラス電極が端子２と接続され、電池１のマイナス電極が端子３と接続されている場合、“０”を出力する。
【００４３】
操作部５ｂは、例えば、照明装置１０を点灯および消灯するための操作ボタンである。
【００４４】
リモコン制御部５ｃは、チャンネル切り替え制御部５ａから出力された比較の結果に基づいて、制御信号を送信するチャンネルを決定する。
【００４５】
例えば、リモコン制御部５ｃは、その比較の結果が、端子２の電圧は端子４ｄの電圧より低い旨を示す場合には、第１チャンネルを選択し、一方、比較の結果が、端子２の電圧が端子４ｄの電圧より高い旨を示す場合には、第２チャンネルを選択する。
【００４６】
リモコン制御部５ｃは、操作部５ｂが操作されると、照明装置１０の点灯および消灯を制御するための制御信号を、その選択されたチャンネルを用いて送信する。なお、リモコン制御部５ｃは、制御信号を、例えば、赤外線、可視光または超音波で送信する。
【００４７】
次に、動作を説明する。
【００４８】
電池１が図１（１）に示されたように取り付けられると、チャンネル切り替え制御部５ａは、端子２の電圧が端子４ｄの電圧より低い旨の比較結果を、リモコン制御部５ｃに提供する。
【００４９】
リモコン制御部５ｃは、端子２の電圧が端子４ｄの電圧より低い旨の比較結果を受け付けると、第１チャンネルを選択する。その後、操作部５ｂが操作されると、リモコン制御部５ｃは、照明装置１０の点灯および消灯を制御するための制御信号を、第１チャンネルで送信する。このとき、照明装置１０のチャンネルは、予め第１チャンネルに設定されていることが望ましい。
【００５０】
また、電池１が図１（２）に示されたように取り付けられると、チャンネル切り替え制御部５ａは、端子２の電圧が端子４ｄの電圧より高い旨の比較結果を、リモコン制御部５ｃに提供する。
【００５１】
リモコン制御部５ｃは、端子２の電圧が端子４ｄの電圧より高い旨の比較結果を受け付けると、第２チャンネルを選択する。その後、操作部５ｂが操作されると、リモコン制御部５ｃは、照明装置１０の点灯および消灯を制御するための制御信号を、第２チャンネルで送信する。このとき、照明装置１０のチャンネルは、予め第２チャンネルに設定されていることが望ましい。
【００５２】
本実施例によれば、制御部５は、電池１によって端子２に印加された電圧に基づいて、制御信号を送信するチャンネルを決定する。このため、制御部５は、電池１のプラス電極が端子２に接続された場合と、電池１のマイナス電極が端子２に接続された場合とで、チャンネルを切り替えることが可能となる。
【００５３】
よって、ユーザーは、端子２と接続する電池の電極を切り替えることによって、配置すること自体に問題があるスライドスイッチを用いることなく、チャンネルを切り替えることが可能となる。換言すると、ユーザーは、電池１を照明用リモコン送信機に入れる際に、電池１を入れる向きを変えることによって、チャンネルを切り替えることができる。
【００５４】
なお、電流制御部の一例であるダイオードブリッジ４は、端子２と端子３に接続された電池１からの電流を、所定の向きに流れる電流にして出力し、制御部５は、ダイオードブリッジ４が出力した電流を電源電流として使用する。このため、端子２と接続する電池１の電極が、プラス電極であっても、マイナス電極であっても、制御部５に流れる電源電流の向きは一定となり、制御部５は正常に動作する。
【００５５】
また、本実施例では、照明用リモコン送信機は、電池１によって端子２に印加された電圧と、電池１によって端子３に印加された電圧と、の間の電圧値を有する比較用電圧を生成し、チャンネル切り替え制御部５ａは、端子２に印加された電圧と、その比較用電圧と、を比較し、その比較の結果を出力し、リモコン制御部５ｃは、ダイオードブリッジ４が出力した電流を電源電流として使用するとともに、チャンネル切り替え制御部５ａから出力された比較の結果に基づいて、制御信号を送信するチャンネルを決定する。
【００５６】
この場合、チャンネル切り替え制御部５ａによる比較結果は、電池１のプラス電極が端子２に接続された場合と、電池１のマイナス電極が端子２に接続された場合とで、異なる。このため、端子２に接続された電池１の電極を正確に検出することができる。よって、端子２と接続する電池１の電極を切り替えることによって、スライドスイッチを用いることなく、チャンネルを精度よく切り替えることが可能となる。
【００５７】
また、本実施例では、ダイオードブリッジ４が、比較用電圧を生成する。よって、ダイオードブリッジ４が、電流制御部および電圧生成部として使用されるため、構成の簡略化が図れる。
【００５８】
以上説明した実施例において、図示した構成は単なる一例であって、本発明はその構成に限定されるものではない。
【００５９】
例えば、チャンネル切り替え制御部５ａは、端子３を第１端子として用い、端子２を第２端子として用いてもよい。
【図面の簡単な説明】
【００６０】
【図１】本発明の一実施例の照明用リモコン送信機を示したブロック図である。
【図２】チャンネル切り替え制御部５ａの一例を示した回路図である。
【図３】チャンネル切り替え機能を有するリモコン送信機の一例を示したブロック図である。
【符号の説明】
【００６１】
１      電池
２、３  端子
３      端子
４      ダイオードブリッジ
４ａ〜４ｄ  端子
５      制御部
５ａ    チャンネル切り替え制御部
５ｂ    操作部
５ｃ    リモコン制御部
１０      照明装置
【図１】
2008042450.tif 000003
【図２】
2008042450.tif 000004
【図３】
2008042450.tif 000005